(57)【要約】【課題】本発明は、高齢者が杖等を使わないで，歩行時は常時容易に本人の想定した高さまで、下肢を持ち上げる歩行補助具を得るにある。【解決手段】人体の少なくとも片方の肩部から足底部までを結ぶ歩行補助具において、前記肩部から足底部までの長さより短めに連結した輪状の弾性部材と、前記輪状の弾性部材を装着させた衣服と、前記衣服に前記の輪状の弾性部材を少なくとも１箇所以上固定する固定部材とで歩行補助具を構成している。【選択図】    図２
2004337561.tif 000002
【特許請求の範囲】
【請求項１】
人体の少なくとも片方の肩部から足底部までを結ぶ歩行補助具において、前記肩部から足底部までの長さより短めに連結した輪状の弾性部材と、前記輪状の弾性部材を装着させた衣服と、前記衣服に前記の輪状の弾性部材を少なくとも１箇所以上固定する固定部材とを備えることを特徴とする歩行補助具。
【請求項２】
人体の少なくとも片方の肩部から足底部までを結ぶ歩行補助具において，前記の肩部から足底部までの長さより短めに連結した輪状の弾性部材と，前記の輪状の弾性部材を少なくとも１箇所以上を人体に固定する固定部材を備えることを特徴とした歩行補助具。
【請求項３】
人体の腰部に装着された腰部固定部材から足底部までを結ぶ歩行補助具において，前記腰部固定部材から少なくとも片方の足底部までを，前記腰部から足底部までの長さより短めに連結した弾性部材と，前記弾性部材を装着させた衣服と，前記衣服に前記弾性部材を人体に少なくとも１箇所以上固定する固定部材を備えることを特徴とした歩行補助具。
【請求項４】
人体の腰部に装着させた腰部固定部材から足底部までを結ぶ歩行補助具において，前記腰部固定部材から少なくとも片方の足底部までを，前記腰部から足底部までの長さより短めに連結した弾性部材と，前記弾性部材を人体に少なくとも１箇所以上固定する固定部材とを備えることを特徴とした歩行補助具。
【請求項５】
請求項１、２、３、４における輪状の弾性部材の一部に長さを調整する長さ調整部材を備えることを特徴とする歩行補助具。
【発明の詳細な説明】
【０００１】
【発明の属する技術分野】
本発明は特に高年齢の人や，足の不自由な人の歩行を容易にし，且つ躓き等を防止する歩行補助具に関する。
【０００２】
【従来の技術】
従来高年齢の人や，足の不自由な人の歩行を容易にするために杖，手すり等を利用して下肢を持ち上げ歩行していた。
【０００３】
【発明が解決しようとする課題】
従来の歩行補助具で下肢を持ち上げるには杖等を用い，手の力により杖を介して地面に力を伝え，下肢を持ち上げようとしていたが，高年齢者，足の不自由な人は，筋肉の衰えも有り，本人の想定した高さまでに足を持ち上げるに至らなかった。
【０００４】
本発明は以上のような従来の欠点に鑑み，たとえ筋肉の衰えがあっても，杖を用いないで，歩行時は常時容易に本人の想定した高さまで，下肢を持ち上げる歩行補助具を提供することを目的としている。
【０００５】
本発明の前記ならびにそのほかの目的と新規な特徴は次の説明を添付図と照らし合わせて読むと，より完全に明らかになるだろう。但し，図面はもっぱら解説のためのものであって，本発明の範囲を限定するものではない。
【０００６】
【課題を解決するための手段】
上記目的を達成するために、本発明は人の少なくとも片方の肩部から足底部までを結ぶ歩行補助具において、前記肩部から足底部までの長さより短めに連結した輪状の弾性部材と、前記輪状の弾性部材を装着させた衣服と、前記衣服に前記の輪状の弾性部材を少なくとも１箇所以上固定する固定部材とで歩行補助具を構成している。
【０００７】
【発明の実施の形態】
以下，図面に示す実施の形態より，本発明を詳細に説明する。
【０００８】
図１ないし図２の本発明における第１の実施の形態において，足吊り上げ部材２、２’は，ゴム等の弾性部材を用い，人体の肩部１１から足底部８までを輪状に形成し，長さは足を吊り上げるとの観点より，肩部１１から足底部８までの長さより、短めに設定してある。
【０００９】
また，足吊り上げ部材２、２’は，衣服（上）９と衣服（下）９’に装着されており，歩行時、前記９，９’から脱落しないために、肩部固定部材７、７’，腰部固定部材４，膝部固定部材５、５’、足首部固定部材６、６’を設けている。
【００１０】
衣服（上）９，衣服（下）９’から脱落しないよう，例えば図１３，図１４のように固定する。
【００１１】
図１ないし図２のように両足を吊り上げるようになっているが，人の足の不自由な度合いによって，片方を吊り上げるかたちを取ってもよい。
【００１２】
図２は図１に示す歩行補助具１を人体に装着したもので、図３は図１に示す歩行補助具１を装着し、歩行した状態を示したもので，足吊り上げ部材２、２’により肩部１１を支点に足底部８を適度に吊り上げ，歩行の促進を図ることが出来る。
【００１３】
【本発明と異なる実施例】
図４ないし図５に示す第２の実施の形態において，足吊り上げ部材２２，２２’は，ゴム等の弾性部材からなり，人の肩部２７から足底部２８までを輪状に形成し，長さは足を吊り上げるとの観点より，肩部２７から足底部２８までの長さより短めに設定してある。
【００１４】
また，足吊り上げ部材２２、２２’は人体から脱落しないよう，腰部固定部材２４，膝部固定部材２５、２５’、足首部固定部材２６、２６’より形成されている。各固定部材は人体への密着を充分保つため，ゴム等の弾性部材を用いる。
【００１５】
図５は図４に示す歩行補助具２１を人体に装着したものである。
【００１６】
図６に示す第３の実施の形態において，足吊り上げ部材３２、３２’はゴム等の弾性部材からなり，衣服（下）３９に装着され，前記の衣服（下）３９の腰部固定部材３４から，足底部３８までを輪状に形成している。
【００１７】
足吊り上げ部材３２、３２’は、衣服（下）３９に密着して固定さすため，膝部固定部材３５、３５’、足首固定部材３６、３６’を設けている。
【００１８】
図７は図６に示す歩行補助具３１を人体に装着したものである。
【００１９】
図８ないし図９に示す第４の実施の形態において、足吊り上げ部材４２、４２’はゴム等の弾性部材からなり，人体の腰部から足底部４８までを輪状に形成している。
【００２０】
前記，歩行補助具４１の足吊り上げ部材４２、４２’は人体から脱落しないよう，腰部固定部材４５、４５’，足首部固定部材４６、４６’を設けている。
【００２１】
図９は図８に示す、歩行補助具４１を人体に装着したものである。
【００２２】
図１０に示す長さ調整部材６１は，図１の歩行補助具１が人の身長の長短に関係なく装着できることを目的に設けたものの例である。
【００２３】
図１１は，長さ調整部材６１の平面図で，図１２はその側面図である。前記，長さ調整部材６１は足吊り上げ部材６２の両端に粘着部材６６、６６’を用い止め具６５、６５’で固定され、長さの調整は粘着部材６６、６６’の位置をずらすことによりおこなう。
【００２４】
また，足吊り上げ部材６２を連結し長さを調整するには，ベルト等を用いてもよい。
【００２５】
図１３ないし図１４は図１における歩行補助具１の足吊り上げ部材２を衣服（上）９、衣服（下）９’に止める状態を示したものである。図１３は肩部固定部材，図１４は膝部固定部材５を用いた例を示したもので，腰部固定部材４、足首部固定部材６もこれと同様なものを用いるとよい。
【００２６】
図１５は足吊り上げ部材の異なった形状の事例である。足吊り上げ部材は弾性部材であって、足を吊り上げる張力を有していればよく，形状は多角形，或いは，円形で中空のもの等が考えられる。
【００２７】
【発明の効果】
以上の説明から明らかなように，本発明に当たっては，次に列挙する効果が得られる。
【００２８】
（１）人体の少なくとも片方の肩部から足底部までを結ぶ歩行補助具において、前記肩部から足底部までの長さより短めに連結した輪状の弾性部材と、前記輪状の弾性部材を装着させた衣服と、前記衣服に前記の輪状の弾性部材を少なくとも１箇所以上固定する固定部材とで構成されているので，人の歩行時の足上げが容易となる。
したがって、足の不自由な人，高年齢の人等が，足が上がりにくく，歩行に支障をきたす人でも，下肢部が適度の高さに持ち上がるので，歩行，階段の昇り下りが容易となる。段差の有るところでも，躓くことが少なくなる。
また，本歩行補助具は衣服に装着されているので，人体から脱落することはなく，着脱も容易となる。
【００２９】
（２）請求項３も前記（１）と同様な効果が得られる。
【００３０】
（３）請求項２、４も歩行補助具を人体に直接装着しているが、前記（１）と同様な効果が得られる。
【００３１】
（４）請求項５より，歩行補助具の長さ調整が可能なので、身長の大小に関係なく使用でき、且つ，足の持ち上げ力も調整できる。
【００３２】
【図面の簡単な説明】
【図１】本発明における第１の実施の形態を示す説明図。
【図２】本発明における第１の実施の形態で人体に装着した説明図。
【図３】本発明における第１の実施の形態で人体に装着し歩行した状態を示す説明図。
【図４】本発明における第２の実施の形態を示す説明図。
【図５】本発明における第２の実施の形態で人体に装着した状態を示す説明図。
【図６】本発明における第３の実施の形態を示す説明図。
【図７】本発明における第３の実施の形態で人体に装着した説明図。
【図８】本発明における第４の実施の形態を示す説明図。
【図９】本発明における第４の実施の形態で人体に装着した説明図。
【図１０】本発明における第１の実施の形態で，足吊り上げ部材の長さ調整部材を備えた説明図。
【図１１】本発明の長さ調整部材の平面図。
【図１２】本発明の長さ調整部材の側面図。
【図１３】本発明における第１の実施の形態で，足吊り上げ部材を用い肩部で止めた説明図。
【図１４】本発明における第１の実施の形態で，足吊り上げ部材を用い膝部で固定した状態の説明図。
【図１５】本発明の足吊り上げ部材で，弾性部材が中空形状を示す説明図。
【符号の説明】
１，２１，３１，４１：歩行補助具
１１、２７：肩部
２、２’、２２、２２’、３２、３２’、４２、４２’、６２、８２：足吊り上げ部材
３、２３、３３、４３：人体
４、２４、３４、４４：腰部固定部材
５、５’、２５、２５’、３５、３５’、４５，４５’：膝部固定部材
６、６’、２６、２６’、３６、３６’、４６、４６’：足首部固定部材
７、７’、８７：肩部固定部材
８、８’、２８、３８，４８：足底部
９：衣服（上）
９’、３９、８９：衣服（下）
６１：長さ調整部材
６５、６５’：止め具
６６、６６’：粘着部材
【図１】
2004337561.tif 000003
【図２】
2004337561.tif 000004
【図３】
2004337561.tif 000005
【図４】
2004337561.tif 000006
【図５】
2004337561.tif 000007
【図６】
2004337561.tif 000008
【図７】
2004337561.tif 000009
【図８】
2004337561.tif 000010
【図９】
2004337561.tif 000011
【図１０】
2004337561.tif 000012
【図１１】
2004337561.tif 000013
【図１２】
2004337561.tif 000014
【図１３】
2004337561.tif 000015
【図１４】
2004337561.tif 000016
【図１５】
2004337561.tif 000017